(57)【要約】【課題】害鳥獣の慣れ等にかかわりなく、電線に対する害鳥獣の不適切な干渉を抑制することのできる安価で簡素なエネルギー設備の電線用保護体を提供する。【解決手段】送電塔のジャンパー線１０に、絶縁性のエラストマーからなる保護体２０をスパイラルに巻回してジャンパー線１０を絶縁被覆する。ジャンパー線１０の表面が絶縁被覆されるので、ジャンパー線１０にカラス等の害鳥獣が接触せず、部分放電や短絡事故等のトラブルの生じることがない。また、保護体２０を耐熱性や耐候性に優れるエラストマーにより成形するだけで良いから、保護体２０を駆動機構や装置により動作させる必要がない。したがって、高価で複雑化するという問題を解消できる。【選択図】  図３
2005027434.tif 000002
【特許請求の範囲】
【請求項１】
エネルギー設備の電線の少なくとも一部をその周囲から保護体により絶縁被覆するようにしたことを特徴とするエネルギー設備の電線用保護体。
【請求項２】
エネルギー設備を送電塔とし、この送電塔のジャンパー線を保護体により被覆するようにした請求項１記載のエネルギー設備の電線用保護体。
【請求項３】
保護体を絶縁性の有機高分子材料により形成した請求項１又は２記載のエネルギー設備の電線用保護体。
【請求項４】
保護体を絶縁性の網体とした請求項１又は２記載のエネルギー設備の電線用保護体。
【発明の詳細な説明】
【０００１】
【発明の属する技術分野】
本発明は、エネルギー設備の電線用保護体に関し、より詳しくは、送電塔におけるジャンパー線の保護に関するものである。
【０００２】
【従来の技術】
送電システムには、様々な設備が使用されているが、その一つとして送電塔があげられる。この送電塔は、架空送電線支持塔、格子型塔、あるいは二重回路塔等と呼ばれ、発電所から電力網の各所に高圧の電力を架空送電線により供給するよう機能するものである（特許文献１参照）。
ところで、送電塔には、主電線や二次電線の他、高圧のジャンパー線（Ｊｕｍｐｅｒ  Ｗｉｒｅ）が張られているが、このジャンパー線は、裸の撚線等からなり、何ら絶縁被覆が施されていないのが一般的である。
【０００３】
【特許文献１】
特開平８‐１７００５２号公報
【０００４】
【発明が解決しようとする課題】
従来におけるエネルギー設備の電線用保護体は、以上のようにジャンパー線が絶縁被覆されていないので、ジャンパー線にカラス等の害鳥獣が干渉すると、部分放電や短絡事故等のトラブルが生じることとなる。
このようなトラブルを解消する手段としては、カラス等の模型により接近してくる害鳥獣を威嚇する方法があげられるが、この方法の場合、威嚇の初期にこそ効果が認められるものの、それ以後は害鳥獣が慣れてしまい、効果に乏しくなるという問題がある。また、気象条件にかかわりなく、模型を繰り返し動作させる強固な機構や装置が必要になるので、装置が高価で複雑になる。
【０００５】
本発明は、上記に鑑みなされたもので、害鳥獣の慣れ等にかかわりなく、電線に対する害鳥獣の不適切な干渉を抑制することのできる安価で簡素なエネルギー設備の電線用保護体を提供することを目的としている。
【０００６】
【課題を解決するための手段】
本発明においては、上記課題を達成するため、エネルギー設備の電線の少なくとも一部をその周囲から保護体により絶縁被覆するようにしたことを特徴としている。
なお、エネルギー設備を送電塔とし、この送電塔のジャンパー線を保護体により被覆することが好ましい。
また、保護体を絶縁性の有機高分子材料により形成することができる。
さらに、保護体を絶縁性の網体とすることもできる。
【０００７】
ここで特許請求の範囲におけるエネルギー設備には、少なくとも発電システムや送電システムの送電塔が含まれるが、何らこれに限定されるものではない。電線は各種送電塔のジャンパー線が主であるが、絶縁被覆されていない同様の電線であれば、ジャンパー線に限定されるものではない。また、保護体は、絶縁性のプラスチック、エラストマー（例えば、シリコーンゴム、シリコーン接着剤、フッ素ゴム、天然ゴム、ブタジエンゴム、エチレンプロピレンゴム等）、網体、不織布等からなり、単数複数を特に問わない。
【０００８】
保護体は、可撓性のテープ形や筒形等でも良い。筒形の場合、保護体の断面は、円筒形が主ではあるが、楕円形、矩形、多角形の筒形等に形成することができる。この保護体は、新規又は既存の電線に各種の接着剤で固定されたり、あるいは単数複数のクランプ具等により固定される。保護体は、電線に後から設けて絶縁被覆することができる。さらに、保護体の少なくとも表面には、ルバフラン、シンナミルニトリル、ベルトアセタールの１種を含む忌避剤を塗布できるし、鳥獣、目玉からなる威嚇模様、反射膜等を適宜形成することができる。
【０００９】
本発明によれば、電線の全部又は一部が保護体により絶縁被覆されるので、エネルギー設備の電線に害鳥獣等が直接接触するのを抑制することができる。また、絶縁性の保護体を耐熱性や耐候性等に優れるエラストマーや樹脂等により形成すれば、保護体を駆動機構や装置により威嚇動作させる必要性がない。
【００１０】
【発明の実施の形態】
以下、図面を参照して本発明の好ましい実施形態を説明すると、本実施形態におけるエネルギー設備の電線用保護体は、図１ないし図４に示すように、送電塔１のジャンパー線１０に、絶縁性の保護体２０を設けてジャンパー線１０をその周囲から絶縁被覆するようにしている。
【００１１】
送電塔１は、図１や図２に示すように、複数の架空送電線３間に挟まれる鉄塔２を備え、この鉄塔２の腕木や横木に架空送電線３の接続端部が碍子を介して張架支持されており、対向する架空送電線３の接続端部同士がジャンパー線１０により電気的に接続されている。このジャンパー線１０は、例えば裸の鋼心アルミ撚線等からなり、可撓性を有している。
【００１２】
保護体２０は、図３や図４に示すように、絶縁性のエラストマー等を使用して長尺の薄いテープに成形され、ジャンパー線１０の周面にスパイラルに巻回して接着剤により接着固定される。絶縁性のエラストマーとしては、耐熱性、耐候性、耐寒性、耐オゾン性、電気特性等に優れるシリコーンゴムが好適に使用される。勿論、これに限定されるものではなく、電気絶縁性、耐コロナ性、耐熱性、耐候性、耐オゾン性に優れる安価なブチルゴムを使用したり、あるいは耐熱性、耐油性、耐薬品性に優れるフッ素ゴム等を使用することもできる。また、接着剤は、特に限定されるものではないが、図４に示す２成分型のシリコーン接着剤２１又は１成分型のシリコーン接着剤２１Ａ（信越ポリマー株式会社製  ポリマエース（信越ポリマー株式会社の登録商標））の使用が最適である。
【００１３】
上記構成によれば、ジャンパー線１０の表面が絶縁被覆されるので、ジャンパー線１０にカラスやハト等の害鳥獣が接触することがなく、部分放電や短絡事故等のトラブルの生じることがない。この効果は、保護体２０に対する害鳥獣の慣れにかかわりなく、長期に亘り維持することができる。さらに、保護体２０を耐熱性や耐候性に優れるエラストマーにより成形するだけで良いから、保護体２０を駆動機構や装置により威嚇動作させる必要が全くない。したがって、装置が高価で複雑になるという問題を有効に解消することができる。
【００１４】
次に、図５や図６は本発明の第２の実施形態を示すもので、この場合には、保護体２０をシートに成形し、ジャンパー線１０の周面を保護体２０により絶縁被覆して円筒形に丸め、この保護体２０の両側部２２を重ねて２成分型のシリコーン接着剤２１により接着固定するようにしている。その他の部分については、上記実施形態と同様であるので説明を省略する。
本実施形態においても上記実施形態と同様の作用効果が期待でき、しかも、ジャンパー線１０の周面に保護体２０をスパイラルに正確に巻く必要がないので、設置作業の著しい円滑化、簡素化、容易化が期待できるのは明らかである。
【００１５】
次に、図７は本発明の第３の実施形態を示すもので、この場合には、保護体２０をシートに成形し、ジャンパー線１０の周面を保護体２０により絶縁被覆して略円筒形に丸め、この保護体２０の両側部２２をジャンパー線１０の軸方向と直交する外方向（本実施形態では下方向）にそれぞれ直線的に伸ばすとともに、この保護体２０の両側部２２を重ねて２成分型のシリコーン接着剤２１により接着固定するようにしている。その他の部分については、上記実施形態と同様であるので説明を省略する。
本実施形態においても上記実施形態と同様の作用効果が期待でき、しかも、面積の拡大した略鍵穴型の保護体２０の両側部２２を強固に接着固定するので、作業の著しい容易化が期待できるのは明らかである。
【００１６】
次に、図８は本発明の第４の実施形態を示すもので、この場合には、保護体２０をテープあるいはシートに成形し、この保護体２０に１成分型のシリコーン接着剤２１Ａを接着するようにしている。具体的には、保護体２０の片面に１成分型のシリコーン接着剤２１Ａを接着するようにしている。その他の部分については、上記実施形態と同様であるので説明を省略する。
本実施形態においても上記実施形態と同様の作用効果が期待でき、しかも、１成分型のシリコーン接着剤２１Ａを使用するので、保護体２０の両面に２成分型のシリコーン接着剤２１をそれぞれ接着する必要が全くなく、接着作業や位置決め作業の容易化が期待できるのは明白である。
【００１７】
次に、図９や図１０は本発明の第５の実施形態を示すもので、この場合には、保護体２０をシートに成形し、ジャンパー線１０の周面を保護体２０により絶縁被覆して円筒形に丸め、この保護体２０の両側部２２を重ねて１成分型のシリコーン接着剤２１Ａにより接着固定するようにしている。その他の部分については、上記実施形態と同様であるので説明を省略する。
本実施形態においても、上記実施形態と同様の作用効果が期待できる。
【００１８】
次に、図１１は本発明の第６の実施形態を示すもので、この場合には、保護体２０をシートに成形し、ジャンパー線１０の周面を保護体２０により絶縁被覆して略円筒形に丸め、この保護体２０の両側部２２をジャンパー線１０の軸方向と直交する外方向にそれぞれ直線的に伸ばすとともに、この略鍵穴型の保護体２０の両側部２２を重ねて１成分型のシリコーン接着剤２１Ａにより接着固定するようにしている。その他の部分については、上記実施形態と同様であるので説明を省略する。
本実施形態においても、上記実施形態と同様の作用効果が期待できる。
【００１９】
次に、図１２は本発明の第７の実施形態を示すもので、この場合には、略鍵穴型を呈した保護体２０の両側部２２以外の湾曲部を周方向あるいは長手方向に伸縮自在に形成するようにしている。その他の部分については、上記実施形態と同様であるので説明を省略する。
本実施形態においても上記実施形態と同様の作用効果が期待でき、しかも、保護体２０の湾曲部を可撓性の伸縮自在としたので、保護体２０を作業により変形させることができ、これを通じて取付作業が実に容易となる。
【００２０】
次に、図１３、図１４は本発明の第８の実施形態を示すもので、この場合には、保護体２０をシートに成形し、ジャンパー線１０の周面を保護体２０により絶縁被覆して変形した略Ｕ字形とし、この保護体２０の両側部２２を重ねて２成分型のシリコーン接着剤２１又は１成分型のシリコーン接着剤２１Ａにより接着固定するようにしている。
保護体２０の内面や保護体２０の内面とシリコーン接着剤２１・２１Ａとの間には、補強層を適宜設けることができる。また、保護体２０自体をシリコーン接着剤２１Ａとすることもできる。その他の部分については、上記実施形態と同様であるので説明を省略する。
本実施形態においても、上記実施形態と同様の作用効果が期待できるのは明らかである。
【００２１】
次に、図１５は本発明の第９の実施形態を示すもので、この場合には、送電塔１のジャンパー線１０に、保護体２０である絶縁性の網体２３を嵌合してジャンパー線１０をその周囲から絶縁被覆するようにしている。
ジャンパー線１０と網体２３との間には、隙間があっても良いし、隙間がなくても良い。網体２３は、例えば絶縁性の合成樹脂によりテープ、シート、あるいは円筒形等に編まれる。この網体２３の合成樹脂としては、例えば機械的特性等に優れるフェノール樹脂、不飽和ポリエステル、ポリエチレン等があげられる。その他の部分については、上記実施形態と同様であるので説明を省略する。
本実施形態においても上記実施形態と同様の作用効果が期待でき、しかも、エラストマーを使用する場合に比べ、軽量化を図ることができる。
【００２２】
【発明の効果】
以上のように本発明によれば、害鳥獣の慣れ等にかかわりなく、電線に対する害鳥獣の不適切な干渉を抑制することができるという効果がある。また、安価で簡易なエネルギー設備の電線用保護体を提供することができる。
【図面の簡単な説明】
【図１】本発明に係るエネルギー設備の電線用保護体の実施形態における送電塔を示す全体説明図である。
【図２】図１の要部拡大説明図である。
【図３】本発明に係るエネルギー設備の電線用保護体の実施形態におけるジャンパー線と保護体とを示す説明図である。
【図４】本発明に係るエネルギー設備の電線用保護体の実施形態における保護体を示す断面説明図である。
【図５】本発明に係るエネルギー設備の電線用保護体の第２の実施形態を示す断面説明図である。
【図６】本発明に係るエネルギー設備の電線用保護体の第２の実施形態における保護体の接着状態を示す断面説明図である。
【図７】本発明に係るエネルギー設備の電線用保護体の第３の実施形態における保護体の接着状態を示す部分断面説明図である。
【図８】本発明に係るエネルギー設備の電線用保護体の第４の実施形態における保護体を示す断面説明図である。
【図９】本発明に係るエネルギー設備の電線用保護体の第５の実施形態を示す断面説明図である。
【図１０】本発明に係るエネルギー設備の電線用保護体の第５の実施形態を示す断面説明図である。
【図１１】本発明に係るエネルギー設備の電線用保護体の第６の実施形態を示す部分断面説明図である。
【図１２】本発明に係るエネルギー設備の電線用保護体の第７の実施形態を示す斜視説明図である。
【図１３】本発明に係るエネルギー設備の電線用保護体の第８の実施形態を示す説明図である。
【図１４】本発明に係るエネルギー設備の電線用保護体の第８の実施形態を示す斜視説明図である。
【図１５】本発明に係るエネルギー設備の電線用保護体の第９の実施形態における網体を示す説明図である。
【符号の説明】
１          送電塔（エネルギー設備）
１０        ジャンパー線（電線）
２０        保護体
２１        ２成分型のシリコーン接着剤
２１Ａ            １成分型のシリコーン接着剤
２２        両側部
２３        網体（保護体）
【図１】
2005027434.tif 000003
【図２】
2005027434.tif 000004
【図３】
2005027434.tif 000005
【図４】
2005027434.tif 000006
【図５】
2005027434.tif 000007
【図６】
2005027434.tif 000008
【図７】
2005027434.tif 000009
【図８】
2005027434.tif 000010
【図９】
2005027434.tif 000011
【図１０】
2005027434.tif 000012
【図１１】
2005027434.tif 000013
【図１２】
2005027434.tif 000014
【図１３】
2005027434.tif 000015
【図１４】
2005027434.tif 000016
【図１５】
2005027434.tif 000017